(57)【要約】【課題】  情報コンセント前面に露出するプラグ差込口を遮蔽した状態で施錠でき、遮蔽板の移動に要する空間が少なくてすみ、構造が単純であり、安価な情報コンセントの施錠装置および当該装置を装備した情報コンセントを提供する。【解決手段】  情報コンセント前面のプラグ差込口を遮蔽可能であり、表面に係合受け部を備える遮蔽板と、前記情報コンセント前面に前記遮蔽板を跨いで配置され、これをスライド移動可能に案内する案内手段と、該案内手段に備えられた施錠手段とからなり、前記施錠手段は前記遮蔽板が前記プラグ差込口を遮蔽する位置で前記係合受け部に係合して前記遮蔽板のスライド移動を規制する突出片を備えたことを特徴とする情報コンセントの施錠装置、および当該施錠装置を装備した情報コンセント。案内手段は、さらに一対の案内枠を備え、突出片は弾性部材によってその突出方向に付勢され、自動的に前記係合受け部に係合されるのがよい。【選択図】  図1
2006269230.tif 000002
【特許請求の範囲】
【請求項１】
情報コンセント前面のプラグ差込口を遮蔽可能であり、表面に係合受け部を備える遮蔽板と、前記情報コンセント前面に前記遮蔽板を跨いで配置され、これをスライド移動可能に案内する案内手段と、該案内手段に備えられた施錠手段とからなり、前記施錠手段は前記遮蔽板が前記プラグ差込口を遮蔽する位置で前記係合受け部に係合して前記遮蔽板のスライド移動を規制する突出片を備えたことを特徴とする情報コンセントの施錠装置。
【請求項２】
前記案内手段は、さらに前記遮蔽板の両側縁部を把持してそのスライド移動を案内する一対の案内枠を備えてなる請求項１に記載の施錠装置。
【請求項３】
前記突出片は、弾性部材によってその突出方向に付勢され、自動的に前記係合受け部に係合される請求項１または２に記載の施錠装置。
【請求項４】
前記施錠手段は、その前面に鍵を挿入可能な鍵穴を備え、これに鍵を挿入し、回動させることにより、前記弾性部材の付勢力に抗して前記突出片を突出方向とは反対方向に引き戻して開錠可能とされる請求項１〜３のいずれか１項に記載の施錠装置。
【請求項５】
請求項１〜４のいずれか１項に記載の施錠装置を備えたことを特徴とする情報コンセント。
【発明の詳細な説明】
【技術分野】
【０００１】
本発明は、情報コンセントの施錠装置および情報コンセントに関し、さらに詳細には情報コンセントからの不正アクセスを防止すべく、機械的にプラグ差込口を遮蔽して施錠可能な施錠装置、および当該施錠装置が装着された情報コンセントに関する。
【背景技術】
【０００２】
電力会社各社などでは、自社のコンセプトや自社製品などの宣伝を目的として社内に見学者ルートを設け、不特定多数の見学者を受け入れるとともに、ショールームやホールなどを設けて種々のコンテンツを用いて自社製品などに関するプレゼンテーションを行っている。従来、このようなコンテンツは、社内のメインネットワークとは別に構築されたローカルネットワーク内のサーバーに格納され、上記のホールなどでは該サーバー内に格納されたコンテンツを情報コンセントを介して読み出し、スクリーンに映写などして見学者に見せるのが一般的であった。このような情報コンセントについて、特開２００１−３５６０８号公報などに提案がなされている(特許文献１参照)。
【０００３】
近時の情報処理技術の進歩に伴い、各社とも、社内のメインネットワークに各事業所のローカルネットワークを接続し、社内のすべての情報を一元管理するようになってきた。この場合、ネットワークには、ファイアウォールを各所に設けるとともに、情報へのアクセスにも権限を必要とすることで、一応情報漏洩にも対策が採られている。
【０００４】
しかし、このように社内のメインネットワークに各事業所のネットワークが接続された場合、例えば上記の見学者ホールなどにおいて一部の見学者が情報コンセントから社内ネットワークのファイアウォールを破って機密情報に不正にアクセスすることが起こり得る。このような事態の発生を防止するための一手段として、必要な場合以外は、情報コンセントを第三者が使用できないようにするために、情報コンセントを蓋材で遮蔽し、これを施錠することが考えられる。
【０００５】
一方、通常の電源コンセント蓋材を施錠するための装置として、例えば、実開平７−３６３８６号公報記載の「コンセントボックス蓋のロック装置」がある。この「コンセントボックス蓋のロック装置」では、蓋はコンセントボックス本体の上端部分に設けられたヒンジによりコンセントボックス本体に蝶着されている。この蓋は、その下端が該ヒンジを中心として旋回させて開閉されるが、蓋の開閉のために当該蓋を旋回させる大きい空間が必要とされ、また施錠装置の構造が複雑であり、高価となるなどの欠点があった。
【０００６】
【特許文献１】特開２００１−３５６０８号公報
【特許文献２】実開平７−３６３８６号公報
【発明の開示】
【発明が解決しようとする課題】
【０００７】
本発明は、上記事情に鑑み、情報コンセント前面に露出するプラグ差込口を遮蔽した状態で施錠でき、遮蔽板の移動に要する空間を小さくでき、しかも、構造が単純であり、安価な情報コンセントの施錠装置および当該装置を装備した情報コンセントを提供することを目的とする。
【課題を解決するための手段】
【０００８】
上記目的は、本発明の一局面によれば、情報コンセント前面のプラグ差込口を遮蔽可能であり、表面に係合受け部を備える遮蔽板と、前記情報コンセント前面に前記遮蔽板を跨いで配置され、これをスライド移動可能に案内する案内手段と、該案内手段に備えられた施錠手段とからなり、前記施錠手段は前記遮蔽板が前記プラグ差込口を遮蔽する位置で前記係合受け部に係合して前記遮蔽板のスライド移動を規制する突出片を備えたことを特徴とする情報コンセントの施錠装置によって達成される。
【０００９】
上記案内手段は、さらに前記遮蔽板の両側縁部を把持してそのスライド移動を案内する一対の案内枠を備えることが好ましい。
【００１０】
上記施錠手段における突出片は、弾性部材によってその突出方向に付勢され、自動的に上記係合受け部に係合されることが好ましい。また、上記施錠手段は、その前面に鍵を挿入可能な鍵穴を備え、これに鍵を挿入し、回転させる操作により前記弾性部材の付勢力に抗して前記突出片を突出方向と反対方向に引き戻すことで開錠可能とされるのが好ましい。
【００１１】
上記目的は、また上記記載の施錠装置を備えたことを特徴とする情報コンセントによって達成される。
【発明の効果】
【００１２】
本発明の情報コンセントの施錠装置および情報コンセントを使用することにより、当該情報コンセントからの不正アクセスを防止できる。また、本発明の情報コンセントの施錠装置は、プラグ差込口の前面を遮蔽するための遮蔽板の移動空間を小さくでき、構造が単純であり、安価である。
【発明を実施するための最良の形態】
【００１３】
以下、図面を参照して、本発明の情報コンセントの施錠装置および情報コンセントの実施の形態をより詳細に説明する。図１は、本発明の情報コンセントの施錠装置の実施の形態の一例を示す図である。ここで、同図（ａ）は、施錠装置１の正面図、（ｂ）は右側面図、（ｃ）は（ａ）図のＣ−Ｃ矢視図である。図示の情報コンセント１００は、壁面１１０に埋め込まれており、その前面には、プラグ差込口１０１を1個口露出させたコンセントカバー６が設けられている。また、図２は、本発明の施錠装置の一実施形態の組立分解図である。なお、この図において、施錠手段３０は、その他の部分よりも拡大して示してある。
【００１４】
図１および図２に示すように、本発明の施錠装置１は、遮蔽板１０と、これをスライド移動可能に案内する案内手段２０および一対の案内枠２１と、遮蔽板１０のスライド移動動作を規制する施錠手段３０とから構成される。なお、これらの図において、同一の部分については同一の符号を付している。また、以下では、「上、下」の用語を図面において上、下と、また「前、後、左、右」の用語を図面に向かって前、後、左、右の意味で使用する。
【００１５】
遮蔽板１０は、図１に示すように、情報コンセント１００前面のプラグ差込口１０１を遮蔽可能な大きさの略矩形の平面形状を有する板体である。この遮蔽板１０は、案内手段２０によってスライド移動可能に案内されるものであり、少なくともスライド方向１５に沿った両側の縁は互いに略平行に形成されていれば、上記の略矩形に限られない。また、そのスライド方向の長さは、上記プラグ差込口１０１を遮蔽可能であればよく、常識的な範囲で適宜設定できる。把手１２は、上記遮蔽板１０の上端から前面側に立設されている。この把手１２は、操作者がこれを持って遮蔽板１０を上下方向に往復させるのに使用される。
【００１６】
遮蔽板１０は、その前面に後述の案内手段２０または施錠手段３０からこれに向けて突出される突出片３５を係合可能な係合受け部１１を備えている。図１および図２に示すように、係合受け部１１は、遮蔽板１０の表面においてそのスライド方向１５上端寄りの中央領域に設けられ、遮蔽板１０を貫通する略矩形の開口である。係合受け部１１は、突出片３５が十分に係合可能な深さを有する凹部としてもよい。上記の凹部や開口の遮蔽板１０表面における形状は、略矩形に限定されず、係合される突出片３５の断面形状に適合させて正面視略矩形または略正方形などの他、円形であってもよい。
【００１７】
案内手段２０は、図１および図２に示すように、情報コンセント１００の前面上端の両側縁部にそれぞれ立設され、遮蔽板１０の厚さよりも僅かに大きい高さを有する脚部２０１、２０１と、当該方向に直角に遮蔽板１０を跨ぐように脚部２０１、２０１を連結する連結部材２０２とからなる門型を呈している。この案内手段２０は、情報コンセント１００の前面下端に配置するようにしてもよい。遮蔽板１０は、この案内手段２０によって上下方向１５に円滑に往復スライド移動される。遮蔽板１０のスライド方向は、図１に示す実施形態では、情報コンセント１００の長さ方向１５に設定されているが、その方向に直角な方向であってもよい。遮蔽板１０のスライド方向は、情報コンセント１００に対する案内手段２０および一対の案内枠２１、２１の設置方向によって決定される。連結部材２０２には、後述の施錠手段３０が備えられる。
【００１８】
案内手段２０には、遮蔽板１０がスライド移動してプラグ差込口１０１を遮蔽する方向にさらに遮蔽板１０の両側縁部を把持してスライド移動可能に案内する一対の案内枠２１、２１が上記方向に平行に併設されている。各案内枠２１は、図１（ｃ）に示すように、情報コンセントカバー６の各側縁部に立設された脚部２１１と、その先端から直角に他方の案内枠に向けて相互に対向して延びる部材２１２とから構成される断面略Ｌ字型の枠体である。すなわち、上記一対の案内枠２１、２１は、情報コンセントカバー６とともに対向する一対の顎部を備えた断面Ｃ型を呈する。なお、各案内枠２１は、案内手段２０の下面から遮蔽板１０が完全にプラグ差込口１０１を遮蔽する情報コンセントカバー６の下端まで連続して設ける必要はなく、部分的かつ断続的に設けてもよい。
【００１９】
一対の案内枠２１、２１の下端には、これらを連結する板片状のストッパー２５が設けられている。このストッパー２５は、案内枠２１の横断面の厚さ（情報コンセントカバー表面からの高さ）を幅とし、情報コンセント１００の左右方向の幅をその長さとする板片であり、その上面には、遮蔽板１０の下端を受ける２個のバネ２６，２６がそれぞれ所定の間隔離して取り付けられている。
【００２０】
施錠手段３０は、図２に示すように、案内手段２０の前面に前端部の鍵穴３２を露出させたシリンダー錠３１と、該シリンダー錠３１の後端側に係合される突出片３５とから主に構成される。突出片３５は、その後方側の遮蔽板１０のスライド方向における断面が該遮蔽板１０の係合受け部１１にちょうど嵌入する大きさの略矩形を呈している。突出片３５の下面は、上記スライド方向に直角に形成されており、その上面は、突出方向に向かってその上面が下面に接近する傾斜面を有している。また、突出片３５の突出方向先端では、上記の傾斜面と下面とが交差する部分に面取りが施されている。
【００２１】
突出片３５の前方側の面には、その中央に軸３７が設けられており、その軸３７には、その周面から垂直に突出する突起３８が固定されている。また、突出片３５の前方側の面には、左右方向両端寄りに上記軸３７を中心として左右対称となるようにバネ固定用突起３６，３６がそれぞれ設けられている。このバネ固定用突起３６には、それぞれ圧縮コイルバネが嵌め込まれ、突出片３５を突出方向に付勢している。従って、遮蔽板１０が案内手段２０などに把持されてスライド移動可能とされ、遮蔽板１０の係合受け部１１に突出片３５が係合していない場合、突出片３５が絶えず遮蔽板１０を押圧した状態が維持される。その結果、遮蔽板１０は、任意の位置で保持される。
【００２２】
一方、シリンダー錠３１は、内筒とこれに同心円に配置された外筒とからなり、内筒は前端部に鍵穴３２を有し、不図示の鍵をこれに挿入して回動させることで回転可能とされる公知のものが使用できる。内筒の後端側には、上記回動操作に伴い回転する中空の円筒体３３が連結されている。この円筒体３３の後端の開口には、突出片３５の前方側中心に設けられた軸３７が嵌入される。その際、円筒体３３の周壁に設けられた切込み溝３４に軸３７の突起３８が係合される。切込み溝３４は、円筒体３３の後端より前端側に当該円筒体３３の軸線を中心として時計方向に円弧を描くように略同等の切り込み幅で設けられており、上記鍵を用いた回動操作により、突起３８が突出片３５の突出方向とは反対の方向（前方側）に移動させられる結果、突出片３５が突出方向とは反対の方向に引き戻されるようになっている。
【００２３】
次に、本発明の施錠装置１における遮蔽板１０の施錠、すなわち該遮蔽板１０のスライド移動規制および開錠について説明する。図３は、図１および図２に例示した本発明の施錠装置１の実施形態において、案内手段２０に設けられた施錠手段３０によって遮蔽板に対して施錠が行われ、該遮蔽板１０のスライド移動が規制された状態を示す図である。この図において、（ａ）は遮蔽板１０のスライド方向の上側から見た図であり、（ｂ）はそのＡ−Ａ矢視図、（ｃ）はＢ−Ｂ矢視図である。
【００２４】
本発明の施錠装置１において情報コンセント１００前面のプラグ差込口１０１を遮蔽する場合、遮蔽板１０を下方に押し下げると、それまで遮蔽板１０の表面を押圧していた施錠手段３０の突出片３５が、プラグ差込口１０１を完全に遮蔽する位置で、バネ３９，３９によって自動的に係合受け部１１に突出して係合された状態となる。このとき、突出片３５前方側の軸３７に固定された突起３８は、切り込み溝３４の後端側開口部近傍の位置で当該溝３４から抜け出ずに停止した状態とされる。また、このとき、遮蔽板１０の下端は、一対の案内枠２１，２１の下端に配置されたストッパー２５上面に固定された２個のバネ２６、２６をその付勢力に抗して圧縮させる。遮蔽板１０は上下方向のいずれの方向にもスライド移動が規制されるため、例えばＬＡＮケーブルなどをこの情報コンセント１００のプラグ差込口１０１に差し込むことが不可能となる。
【００２５】
次に、遮蔽板１０を施錠された状態から開錠する場合、案内手段２０前面に露出するシリンダー錠３１の鍵穴３２に不図示の鍵が挿入され、時計方向に約９０度回動する操作が行われる。これにより、シリンダー錠３１の内筒後端側に連結された円筒体３３が上記回動操作によって同様に時計方向に約９０度回動される。円筒体３３の周壁の後端側端部の開口より反時計方向に円弧状に形成された切り込み溝３４内に係合されている突起３８は、上記回動に伴い、前方側（突出方向とは反対方向）に移動させられる結果、突出片３５が前方側に引き込まれる。突出片３５の先端が遮蔽板１０の係合受け部１１から抜け出た瞬間、今度はストッパー２５上面に固定された２個のバネ２６，２６の付勢力によって遮蔽板１０は上方に強制的にスライド移動させられ、突出片３５の突出方向前方から遮蔽板１０の係合受け部１１が離脱する。あとは、手で遮蔽板１０上端の把手１２を持って上方に遮蔽板１０をスライド移動させるとともに、鍵穴３２から鍵を約９０度反時計方向に回動させて鍵穴３２の位置を元に戻した後に引き抜く。この一連の開錠操作により、再び突出片３５が遮蔽板１０表面を押圧するようになり、情報コンセント１００前面のプラグ差込口１０１より遮蔽板１０が退避し、再びプラグ差込口１０１が使用できるようになる。
【００２６】
本発明の施錠装置１は、壁面に設置された既設のコンセントカバーに後付けすることができ、本発明の施錠可能なコンセントとすることができる。
【００２７】
なお、上記の実施形態では、案内手段２０および一対の案内枠２１，２１は、それぞれ情報コンセント１００前面に直接固定されているが、その間に不図示の基板を介在させて間接的に固定してもよい。この基板としては、情報コンセントカバー６と同様の平面形状および略同等の大きさを有する板体であって、情報コンセントカバー６前面のプラグ差込口１０１の位置に当該差込口に対応した大きさの開口を設けたものが好適に使用できる。固定方法としては、例えば接着、溶接、ネジ留めなどの従来公知の種々の方法を採用できる。また、これら案内手段２０および一対の案内枠２１，２１は、情報コンセントカバー６と一体に形成されていてもよい。また、上記基板を用いる場合、ストッパー２５は、上記実施形態における一対の案内枠２１、２１の下端に固定するのではなく、当該基板の下端側の所定の位置に固定してもよい。
【００２８】
以上説明したように、本発明の施錠装置は、遮蔽板の情報コンセント前面に沿ったスライド移動により当該面のプラグ差込口を遮蔽し、施錠手段によってこの遮蔽板のスライド移動を規制するものであるため、従来のコンセント蓋材を旋回させる構造よりも遮蔽板の移動空間が少なくてすむ。また、本発明の施錠装置は、構造が簡単であり、安価に製造することができる。
【産業上の利用可能性】
【００２９】
本発明の情報コンセントの施錠装置および情報コンセントは、ＬＡＮケーブルプラグ用のコンセントをはじめとする各種の情報コンセントに適用され、社内ネットワークへの不正アクセスを防止することができ、しかも、本発明の情報コンセントの施錠装置は既設の情報コンセントに後付けできるので情報コンセント全体を交換する必要はない。
【図面の簡単な説明】
【００３０】
【図１】本発明の情報コンセントの施錠装置の実施の形態の一例を示す図である。
【図２】本発明の施錠装置の一実施形態の組立分解図である。
【図３】本発明の施錠装置１の実施形態において施錠手段によって遮蔽板に対する施錠状態を示す図である。
【符号の説明】
【００３１】
１    情報コンセントの施錠装置
１０    遮蔽板
１１    係合受け部
２０    案内手段
２１    案内枠
３０    施錠手段
３２    鍵穴
３５    突出片
３９    圧縮コイルバネ
１００    情報コンセント
１０１    プラグ差込口
【図１】
2006269230.tif 000003
【図２】
2006269230.tif 000004
【図３】
2006269230.tif 000005